(57)【要約】【課題】  冷房ユニットの放熱部で発生する熱を良好に排気させて、冷房ユニットの冷房効率を高めることのできるトイレ冷房装置を提供する。【解決手段】  便器２の後方には、洗浄タンク４を内装した後方キャビネット３が設けられ、この後方キャビネット３から便器２の側方へ延びるカウンター５が設けられてなるトイレ室１において、カウンター５には吹出口７が設けられ、この吹出口７の下方にはペルチェ素子を用いた冷房ユニット８が配設されているとともに、ペルチェ素子の放熱部の熱を洗浄タンク４内に導く排気ファン１０を備えたダクト１１が設けられている。【選択図】  図１
2005248586.tif 000002
【特許請求の範囲】
【請求項１】
便器の後方には、洗浄タンクを内装した後方キャビネットが設けられ、該後方キャビネットから便器の側方へ延びるカウンターが設けられてなるトイレ室において、前記カウンターには吹出口が設けられ、該吹出口の下方にはペルチェ素子を用いた冷房ユニットが配設されているとともに、前記ペルチェ素子の放熱部の熱を、前記洗浄タンク内に導くファンを備えたダクトが設けられていることを特徴とするトイレ冷房装置。
【請求項２】
前記洗浄タンクには、該洗浄タンク内の洗浄水の温度を検知する温度検知手段を設け、該温度検知手段が所定値以上の温度を検知した時に、前記洗浄タンク内の洗浄水を排出し入替えるように構成したことを特徴とする請求項１に記載のトイレ冷房装置。
【請求項３】
便器の後方には、後方キャビネットが設けられ、該後方キャビネットから便器の側方へ延びるカウンターが設けられてなるトイレ室において、前記カウンターには吹出口が設けられ、該吹出口の下方にはペルチェ素子を用いた冷房ユニットが配設されているとともに、前記ペルチェ素子の放熱部の熱を、前記後方キャビネット内に導くためのファンが設けられ、後方キャビネットには、便器使用者に排気が当たらない位置に排熱口が形成されていることを特徴とするトイレ冷房装置。
【発明の詳細な説明】
【技術分野】
【０００１】
本発明は、トイレの冷房装置に関するものである。
【背景技術】
【０００２】
従来、ペルチェ素子を用いたトイレ冷房装置として、特許文献１，特許文献２等に開示された構造のものがある。
【特許文献１】特開平６−１５８７００号公報
【特許文献２】特開平６−２１８０３４号公報
【発明の開示】
【発明が解決しようとする課題】
【０００３】
従来のトイレ冷房装置において、ペルチェ素子を用いた冷房ユニットをカウンターに設け、カウンターに設けた吹出口から冷風を便器使用者の横または前面に当てることが考えられるが、ペルチェ素子を用いた冷房ユニットの放熱部で発生する熱により、冷房効率が悪くなるという問題点があった。
【課題を解決するための手段】
【０００４】
本発明は上記従来の問題点に鑑み案出したものであって、冷房ユニットの放熱部で発生する熱を良好に処理して冷房効率を高めることのできるトイレ冷房装置を提供せんとするものであり、請求項１は、便器の後方には、洗浄タンクを内装した後方キャビネットが設けられ、該後方キャビネットから便器の側方へ延びるカウンターが設けられてなるトイレ室において、前記カウンターには吹出口が設けられ、該吹出口の下方にはペルチェ素子を用いた冷房ユニットが配設されているとともに、前記ペルチェ素子の放熱部の熱を、前記洗浄タンク内に導くファンを備えたダクトが設けられていることである。
【０００５】
また請求項２は、前記洗浄タンクには、該洗浄タンク内の洗浄水の温度を検知する温度検知手段を設け、該温度検知手段が所定値以上の温度を検知した時に、前記洗浄タンク内の洗浄水を排出し入替えるように構成したことである。
【０００６】
また請求項３は、便器の後方には、後方キャビネットが設けられ、該後方キャビネットから便器の側方へ延びるカウンターが設けられてなるトイレ室において、前記カウンターには吹出口が設けられ、該吹出口の下方にはペルチェ素子を用いた冷房ユニットが配設されているとともに、前記ペルチェ素子の放熱部の熱を、前記後方キャビネット内に導くためのファンが設けられ、後方キャビネットには、便器使用者に排気が当たらない位置に排熱口が形成されていることである。
【発明の効果】
【０００７】
本発明は、洗浄タンクを内装した後方キャビネットから便器の側方へ延びるカウンターが設けられ、カウンターの吹出口の下方にはペルチェ素子を用いた冷房ユニットが配設され、ペルチェ素子の放熱部の熱を、洗浄タンク内に導くファンを備えたダクトが設けられていることにより、冷房ユニットの放熱部で発生する熱は、ファンを回してダクトを通し洗浄タンク内に排気することができ、洗浄タンク内の水で良好に熱を冷やして冷房効率を高めることができるものとなる。
また、カウンターに設けた吹出口から冷風を、便器使用者の横または前面に向けて吹き出し、涼感を与えることができるものとなる。
【０００８】
また、洗浄タンクには、洗浄タンク内の洗浄水の温度を検知する温度検知手段を設け、温度検知手段が所定値以上の温度を検知した時に、洗浄タンク内の洗浄水を排出し入替えるように構成したことにより、洗浄タンク内の水が所定温度以上になった場合には、水が自動的に便器側に排出され、この時に排気を便器側に引っ張り水とともに排出することができ、新たな水が洗浄タンク内に供給されて、新しい冷たい水で、排気熱を良好に冷却することができるものとなる。
【０００９】
また、洗浄タンクを内装した後方キャビネットから便器の側方へ延びるカウンターが設けられ、カウンターの吹出口の下方にはペルチェ素子を用いた冷房ユニットが配設され、ペルチェ素子の放熱部の熱を、後方キャビネット内に導くためのファンが設けられ、後方キャビネットには排熱口が形成されていることにより、冷房ユニットの放熱部で発生する熱は、ファンを回して便器の後方の後方キャビネットの空間内に放出され、後方キャビネット内の空間は広いため、この内部で良好に冷やされることとなり、また排気は後方キャビネットの排熱口から便器使用者に影響のない場所へ良好に排出されるものとなる。
【実施例】
【００１０】
以下、本発明の実施例を図面に基づいて説明する。
図１は、第１実施例のトイレ冷房装置の設置状態の斜視構成図であり、図２は、図１の側面構成図であり、また図３は、図１の平面構成図である。
【００１１】
トイレ室１内に設置された便器２の後方には、後方キャビネット３が設けられており、この後方キャビネット３内には、便器２用の洗浄水を溜める洗浄タンク４が内装されている。また、後方キャビネット３から便器２の側方へ、トイレ室の壁に沿って延びるカウンター５が設置されており、このカウンター５の端部側には洗面器６が設けられている。なお、図中１２は、ペーパーホルダーである。
また、カウンター５には、吹出口７が便器２側へ向けて設けられており、この吹出口７の下方のカウンター５内には、冷房ユニット８が内装されている。
冷房ユニット８は、ペルチェ素子８ａと、ペルチェ素子８ａの上面側の冷却フィン８ｂと、ペルチェ素子８ａの下面側の放熱フィン８ｃで構成されており、この冷房ユニット８には、給気ファン９と排気ファン１０が付設されている。
【００１２】
冷房ユニット８は、ペルチェ素子８ａに通電することにより、冷却フィン８ｂ側が冷やされ、放熱フィン８ｃ側が放熱されるものであり、給気ファン９が回転することにより、冷却フィン８ｂで冷やされた空気が吹出口７から、便器２上に着座している使用者の首元，頭部に向かって吹き出されるものである。
また、排気ファン１０は、放熱フィン８ｃで発生する熱を排気するものであり、排気ファン１０にはダクト１１が接続されており、ダクト１１は、カウンター５内を通り後方キャビネット３内に連通されて、その先端は洗浄タンク４内に開放されたものとなっている。
従って、排気ファン１０が回転することにより、放熱フィン８ｃ側で発生した熱はダクト１１を通り洗浄タンク４内に排気されることとなり、洗浄タンク４内に溜められている水により良好に熱が冷やされることとなる。
【００１３】
なお、洗浄タンク４には、サーミスタ等で構成される温度検知手段４ａが設けられており、この温度検知手段４ａは洗浄タンク４内に溜められている洗浄水の温度を検知することができ、所定温度以上になった場合には、温度検知手段４ａからの信号により、洗浄タンク４内の洗浄水が自動的に便器２側に排出され、この時に排気を便器２側に引っ張り洗浄水とともに排出することができるとともに、新たな洗浄水が洗浄タンク４内に供給されて、洗浄水が入替えられるように構成されている。
従って、洗浄タンク４内の洗浄水は、温度が上昇すると自動的に入替えられて、冷たい洗浄水が常に貯えられており、この冷たい洗浄水により良好に排気の熱を冷やすことができるものである。
【００１４】
次に、図４は第２実施例を示すものであり、図４では、カウンター５に設けられた吹出口７の下方に冷房ユニット８が設けられ、冷房ユニット８には給気ファン９と排気ファン１０が付設されているが、排気ファン１０にはダクトは接続されておらず、排気ファン１０が回転すると、冷房ユニット８の放熱フィン８ｃで発生された熱が、カウンター５の下方のキャビネット５ａ内の空間を通り、更に、後方キャビネット３内部の空間内に放出されるように構成されている。
後方キャビネット３内の空間は広いために、この空間内の空気で良好に冷やされることとなり、後方キャビネット３の下部には排熱口３ａが開口されており、この排熱口３ａから徐々に熱がトイレ室１内に排出されるものである。
【００１５】
なお、この排熱口３ａは、便器２を使用している使用者に影響のない場所に設けられている。即ち、排熱口３ａから流出する熱が便器使用者に当たらない位置に排熱口３ａが開口されている。
本例においては、カウンター５の下方のキャビネット５ａ内の空間を通し、キャビネット５ａと反対側の後方キャビネット３の排熱口３ａから、冷房ユニットの放熱部で発生する熱を排出することができ、キャビネット５ａ、３全体の広い空間内を通し効率的に熱を排出することができて、ダクト等を必要とせず良好に冷房ユニットの冷房効率を高めることができるものとなる。
【図面の簡単な説明】
【００１６】
【図１】第１実施例のトイレ冷房装置の設置状態の斜視構成図である。
【図２】図１の側面構成図である。
【図３】図１の平面構成図である。
【図４】第２実施例のトイレ冷房装置の設置状態の斜視構成図である。
【符号の説明】
【００１７】
１  トイレ室
２  便器
３  後方キャビネット
３ａ  排熱口
４  洗浄タンク
５  カウンター
５ａ  カウンターキャビネット
６  手洗器
７  吹出口ルーバー
８  冷房ユニット
８ａ  ペルチェ素子
８ｂ  冷却フィン
８ｃ  放熱フィン
９  給気ファン
１０  排気ファン
１１  ダクト
【図１】
2005248586.tif 000003
【図２】
2005248586.tif 000004
【図３】
2005248586.tif 000005
【図４】
2005248586.tif 000006